(57)【要約】【課題】  パンチ金型全長を変化させることなく、ストリッパスプリングを装着したままでそのバネ圧調整を可能とすることにより、ストリッパスプリングのバネ圧調整作業を簡単且つ迅速に行うことができるパンチ金型を提供する。【解決手段】  パンチヘッド３２とリテーナカラー３６間にバネ圧調整用カラー１を設け、該バネ圧調整用カラー１にストリッパスプリング３３を当接させた。上記バネ圧調整用カラー１は、パンチヘッド３２とリテーナカラー３６間で上下動可能であり、パンチヘッド３２、パンチボディ３１、又はリテーナカラー３６に螺合し、該バネ圧調整用カラー１は、固定部材により固定可能となっている。【選択図】        図１
2005297049.tif 000002
【特許請求の範囲】
【請求項１】
パンチヘッドとリテーナカラー間にバネ圧調整用カラーを設け、該バネ圧調整用カラーにストリッパスプリングを当接させたことを特徴とするパンチ金型。
【請求項２】
上記バネ圧調整用カラーは、パンチヘッドとリテーナカラー間で上下動可能となっている請求項１記載のパンチ金型。
【請求項３】
上記バネ圧調整用カラーは、パンチヘッドに螺合している請求項２記載のパンチ金型。
【請求項４】
上記バネ圧調整用カラーは、パンチボディに螺合している請求項２記載のパンチ金型。
【請求項５】
上記バネ圧調整用カラーは、リテーナカラーに螺合している請求項２記載のパンチ金型。
【請求項６】
上記バネ圧調整用カラーは、固定部材により固定可能となっている請求項３、４又は５記載のパンチ金型。
【発明の詳細な説明】
【技術分野】
【０００１】
本発明は、パンチ金型全長を変化させることなく、ストリッパスプリングを装着したままでそのバネ圧調整を可能とすることにより、ストリッパスプリングのバネ圧調整作業を簡単且つ迅速に行うことができるパンチ金型に関する。
【背景技術】
【０００２】
従来のパンチプレス（例えばタレットパンチプレス）に用いられるパンチ金型は、例えば実開平２−１１６２２号公報に開示されているように、ストリッパスプリングを有し、該ストリッパスプリングの上端は、パンチヘッド側の該パンチヘッド締め付け用カラー（同公報では、リング状緊締部材９（第４図））に、下端は、パンチガイド側のリテーナカラーにそれぞれ当接している。
【０００３】
この構成により、加工時には、パンチプレスのラムでパンチヘッドを打圧すると、パンチガイドが下降してその先端でワークを押さえた状態で、上記ストリッパスプリングの復元力に抗してパンチヘッドが下降し、該パンチヘッドに支持されたパンチボディ先端のパンチ刃先でワークに対してパンチ加工が行われる。
【０００４】
加工後は、ラムが上昇すると、それに追従して、ストリッパスプリングの復元力により、パンチヘッドも上昇し、パンチボディ先端のパンチ刃先がワークから離れる。
【０００５】
この場合、ストリッパスプリングのバネ圧が弱いと、よく知られているように、加工時には、パンチガイド先端のワークを押さえる力が不足することにより、ワークが引き込まれ、該ワークに反りが発生する要因となり、また、加工後は、パンチボディを引き上げる力が不足して、上昇するラムに対してパンチヘッドが追従できず、パンチボディ先端のパンチ刃先がワークに引っ掛かるというストリップミスを起こす要因ともなる。
【０００６】
そのため、ストリッパスプリングのバネ圧は、最大板厚のワークをパンチ加工できる程度に、強く設定されており、これにより、前記ストリップミスなどが起こらないようになっている。
【特許文献１】実開平２−１１６２２号公報
【発明の開示】
【発明が解決しようとする課題】
【０００７】
しかし、前記したように、ストリッパスプリングのバネ圧を強く設定すると、加工時にパンチガイド先端でワークを押さえた場合に、該ワークがアルミニウム、銅合金などの軟らかい材質で形成されているときや、ステンレスで形成されていて表面が鏡面仕上げされているときには、押さえ疵が発生する。
【０００８】
これを回避するために、パンチヘッドを回転させ、ストリッパスプリングを伸ばすことによりバネ圧を調整すれば、ワーク押さえ力を小さくすることができるが、この方法では、パンチヘッドの高さ位置が高くなるので、上下方向のパンチ金型全長も長くなる。
【０００９】
その結果、よく知られているように、パンチ金型全長が長くなると、例えば加工時において、パンチボディ先端のパンチ刃先のワークに対する突っ込み量が増し、パンチ刃先側面とワーク破断面との接触長が長くなって、該パンチ刃先の溶着部分が長くなり、既述したストリップミスが起きたり、パンチ金型の寿命が短くなるなどの種々の弊害がある。
【００１０】
また、例えばパンチ金型を長年使用していると、ストリッパスプリングが疲労し、そのバネ圧が弱くなり、既述したようなワークの反りやストリップミスなどが発生する。
【００１１】
このため、前記とは反対方向にパンチヘッドを回転させてストリッパスプリングのバネ圧を強くすることができるが、この方法では、反対にパンチヘッドの高さ位置が低くなってパンチ金型全長も短くなり、よく知られているように、例えば加工時において、パンチ刃先のワークに対する突っ込み量が減って、ダイ金型側にカスが詰まり、カス上がりが発生し易くなるなど、同様に、種々の弊害がある。
【００１２】
また、前記パンチ金型全長が短くなった場合の弊害については、パンチプレスが例えば油圧駆動式であれば、ラムのストロークを大きく設定し、パンチ刃先のワークに対する突っ込み量を増すことにより解消できるが、該ラムストローク量の増大に伴って、その分加工時間が長くなり、加工効率が低下するという問題がある。
【００１３】
従って、ストリッパスプリングのバネ圧が弱くなった場合には、ストリッパスプリングを交換しなければならないが、交換するためには、パンチ金型全体を分解しなければならず、多大の時間が必要となり、交換効率が極めて低下する。
【００１４】
即ち、従来は、ストリッパスプリングのバネ圧を調整する場合に、パンチヘッドを回転させると、パンチ金型全長が変化するので、加工時間が長くなったり、カス上がりが発生易いなどの種々の弊害があり、また、ストリッパスプリングを交換しようとすると、あまりに時間がかかり過ぎ、効率が悪い。
【００１５】
本発明の目的は、パンチ金型全長を変化させることなく、ストリッパスプリングを装着したままでそのバネ圧調整を可能とすることにより、ストリッパスプリングのバネ圧調整作業を簡単且つ迅速に行うことができるパンチ金型を提供する。
【課題を解決するための手段】
【００１６】
上記課題を解決するために、本発明は、
パンチヘッド３２とリテーナカラー３６間にバネ圧調整用カラー１を設け、該バネ圧調整用カラー１にストリッパスプリング３３を当接させたことを特徴とするパンチ金型Ｐという技術手段を講じている。
【００１７】
従って、本発明の構成によれば、例えば上記バネ圧調整用カラー１を（図１）、パンチヘッド３２とリテーナカラー３６間であって、パンチヘッド３２と一体的に形成された下部円筒部３２Ａに螺合し、ストリッパスプリング３３の上端を該バネ圧調整用カラー１に、下端をリテーナカラー３６にそれぞれ当接させれば、ストリッパスプリング３３のバネ圧を強くする場合には、バネ圧調整用カラー１を回転させるだけで、ストリッパスプリング３３が縮んでそれがパンチ金型Ｐに組み込まれたときの組込長さＭが短くなるので、該ストリッパスプリング３３のバネ圧は強くなり、反対にストリッパスプリング３３のバネ圧を弱くする場合には、バネ圧調整用カラー１を反対方向に回転させるだけで、ストリッパスプリング３３が伸びて前記組込長さＭが長くなるので、該ストリッパスプリング３３のバネ圧は弱くなり、また、上記ストリッパスプリング３３のバネ圧を強くし、又は弱くする場合に、パンチヘッド３２は回転させる必要がないので、パンチ金型Ｐ全長Ｌは変化しない。
【発明の効果】
【００１８】
従って、本発明によれば、パンチ金型全長を変化させることなく、ストリッパスプリングを装着したままでそのバネ圧調整を可能とすることにより、ストリッパスプリングのバネ圧調整作業を簡単且つ迅速に行うことができるパンチ金型を提供することができる。
【発明を実施するための最良の形態】
【００１９】
以下、本発明を実施例により添付図面を参照して説明する。
図１は本発明によるパンチ金型Ｐの第１実施例を示す図であり、本発明がタレットパンチプレスに適用された場合を示す図である。
【００２０】
図１に示すタレットパンチプレスは、上部タレット６と下部タレット７を有し、それぞれパンチ金型Ｐとダイ金型Ｄが同心円状に配置され、よく知られているように、該上部タレット６と下部タレット７を同期回転することにより、パンチセンタＣにおいて、所望のパンチ金型Ｐとダイ金型Ｄを選択することができる。
【００２１】
パンチセンタＣにおけるパンチ金型Ｐの上方には、ラム３５が設けられ、該ラム３５によりパンチ金型Ｐを打圧すれば、ダイ金型Ｄと協働して、例えばワークＷを打ち抜くことができる。
【００２２】
上記パンチ金型Ｐは、後述するパンチヘッド３２とパンチガイド３０間に、バネ圧調整用カラー１を有し、該バネ圧調整用カラー１には、図示するように、ストリッパスプリング３３の上端が当接している。
【００２３】
上記パンチガイド３０は、リフトスプリング３４を介して上部タレット６に支持され、上下方向が案内されている。
【００２４】
上記パンチガイド３０のフランジ上面にＯリング３７を介して取り付けられたリテーナカラー３６には、ストリッパスプリング３３の下端が当接され、該ストリッパスプリング３３の上端は、前記バネ圧調整用カラー１に当接している。
【００２５】
パンチガイド３０とリテーナカラー３６とストリッパスプリング３３の内部には、上下方向に延びるパンチボディ３１が貫通し、該パンチボディ３１の上端には、パンチヘッド３２が螺合されている。
【００２６】
このパンチヘッド３２は、止めネジ３を介してパンチボディ３１の上端に固定されていて、加工時に緩まないようになっており、これにより、パンチ金型Ｐの全長Ｌが不変となっている。
【００２７】
パンチヘッド３２の下部には、図示する円筒部３２Ａが一体的に設けられ、下部円筒部３２Ａには、バネ圧調整用カラー１が螺合している。
【００２８】
上記バネ圧調整用カラー１は、固定部材である例えば止めネジ２を介してパンチヘッド３２の前記下部円筒部３２Ａに固定され、該バネ圧調整用カラー１には、既述したように、ストリッパスプリング３３の上端が当接している。
【００２９】
この構成により、ストリッパスプリング３３のバネ圧を強くする場合には、止めネジ２を緩めた状態で、バネ圧調整用カラー１を回転させてそれを下部円筒部３２Ａ上で下降させると、ストリッパスプリング３３が縮むことにより組込長さＭが短くなるので、該ストリッパスプリング３３のバネ圧は強くなる。
【００３０】
この状態で止めネジ２を締め付けると、バネ圧調整用カラー１がパンチヘッド３２の下部円筒部３２Ａに固定され、これにより、該バネ圧調整用カラー１とリテーナカラー３６との間に、前記バネ圧が強くなったストリッパスプリング３３が保持される。
【００３１】
また、ストリッパスプリング３３のバネ圧を弱くする場合には、同様に止めネジ２を緩めた状態で、バネ圧調整用カラー１を反対方向に回転させてそれを下部円筒部３２Ａ上で上昇させると、ストリッパスプリング３３が伸びることにより組込長さＭが長くなるので、該ストリッパスプリング３３のバネ圧は弱くなる。
【００３２】
この状態で止めネジ２を締め付けると、同様に、バネ圧調整用カラー１がパンチヘッド３２の下部円筒部３２Ａに固定され、これにより、該バネ圧調整用カラー１とリテーナカラー３６の間に、前記バネ圧が弱くなったストリッパスプリング３３が保持される。
【００３３】
上記ストリッパスプリング３３のバネ圧を強くし、又は弱くする場合には、いずれの場合も、パンチヘッド３２は回転させる必要がないので、パンチ金型Ｐ全長Ｌは変化しない。
【００３４】
これにより、本発明によれば、パンチ金型全長を変化させることなく、ストリッパスプリングを装着したままでそのバネ圧調整を可能とすることにより、ストリッパスプリングのバネ圧調整作業を簡単且つ迅速に行うことができる。
【００３５】
図２は、本発明によるパンチ金型Ｐの第２実施例を示す図である。
【００３６】
図２において、図１との相違は、図１では、バネ圧調整用カラー１が、パンチヘッド３２の下部円筒部３２Ａに螺合しているのに対して、図２では、バネ圧調整用カラー１が、パンチボディ３１に直接に螺合している点にある。
【００３７】
その他の構成と動作は、図１と全く同様であり、説明は省略する。
【００３８】
図３は、本発明によるパンチ金型Ｐの第３実施例を示す図である。
【００３９】
図１、図２との相違は、上記バネ圧調整用カラー１が、パンチガイド３０側のリテーナカラー３６に螺合している点と、ストリッパスプリング３３の上端がパンチヘッド３２側の該パンチヘッド締め付け用カラー８に当接している点にある。
【００４０】
即ち、図３において、パンチガイド３０側のリテーナカラー３６の上部には、図１、図２の場合と比べて上下方向の長さが長い図示する円筒部３６Ａが一体的に設けられ、該上部円筒部３６Ａには、バネ圧調整用カラー１が螺合している。
【００４１】
そして、バネ圧調整用カラー１は、同様に、止めネジ２を介して前記リテーナカラー３６側の上部円筒部３６Ａに固定され、該バネ圧調整用カラー１には、ストリッパスプリング３３の下端が当接している。
【００４２】
また、パンチヘッド３２の下部には、図示するように、溝（図示省略）が切られたテーパ状の円筒部３２Ｂが一体的に設けられ（既述した実開平２−１１６２２号公報に開示）、該テーパ状円筒部３２Ｂは、パンチヘッド締め付け用カラー８の対応するテーパー状穴８Ｂに挿入されている。
【００４３】
そして、パンチヘッド締め付け用カラー８には、ストリッパスプリング３３の上端が当接している。
【００４４】
これにより、ストリッパスプリング３３により、パンチヘッド締め付け用カラー８が押圧されることから、よく知られているように、パンチヘッド３２側の上記テーパ状円筒部３２Ｂがパンチボディ３１側に強固に締め付けられ、該パンチヘッド３２の緩みが防止される。
【００４５】
上記構成により、ストリッパスプリング３３のバネ圧を強くする場合には、止めネジ２を緩めた状態で、バネ圧調整用カラー１を、回転させてそれをリテーナカラー３６側の上部円筒部３６Ａ上で上昇させると、ストリッパスプリング３３が縮むことにより組込長さＭが短くなるので、該ストリッパスプリング３３のバネ圧は強くなる。
【００４６】
この状態で止めネジ２を締め付けると、バネ圧調整用カラー１がリテーナカラー３６の上部円筒部３６Ａに固定され、これにより、該バネ圧調整用カラー１とパンチヘッド締め付け用カラー８との間に、前記バネ圧が強くなったストリッパスプリング３３が保持される。
【００４７】
また、ストリッパスプリング３３のバネ圧を弱くする場合には、同様に止めネジ２を緩めた状態で、バネ圧調整用カラー１を反対方向に回転させてそれを上部円筒部３６Ａ上で下降させると、ストリッパスプリング３３が伸びることにより組込長さＭが長くなるので、該ストリッパスプリング３３のバネ圧は強くなる。
【００４８】
この状態で止めネジ２を締め付けると、同様に、バネ圧調整用カラー１がリテーナカラー３６の上部円筒部３６Ａに固定され、これにより、該バネ圧調整用カラー１とパンチヘッド締め付け用カラー８との間に、前記バネ圧が弱くなったストリッパスプリング３３が保持される。
【００４９】
上記ストリッパスプリング３３のバネ圧を強くし、又は弱くする場合には、いずれの場合も、同様に、パンチヘッド３２は回転させる必要がないので、パンチ金型Ｐ全長Ｌは変化しない。
【００５０】
これにより、本発明によれば、同様に、パンチ金型全長を変化させることなく、ストリッパスプリングを装着したままでそのバネ圧調整を可能とすることにより、ストリッパスプリングのバネ圧調整作業を簡単且つ迅速に行うことができる。
【００５１】
このようにしてバネ圧調整用カラー１を回転させることにより、ストリッパスプリング３３のバネ圧を調整した後（図１〜図３）、ワークＷを、ダイ金型Ｄのダイ本体５上に載せてから、ラム３５によりパンチヘッド３２を打圧すれば、パンチ金型Ｐ全体が下降する。
【００５２】
先ずリフトスプリング３４が撓んでパンチガイド３０の先端の板押さえ３９がワークＷ上面を押さえ、この状態で、次にストリッパスプリング３３が撓んでパンチボディ３１が下降し、その先端のパンチ刃先３８が、板押さえ３９に形成された刃先挿通孔９を通過した後、ダイ金型Ｄ側のダイ本体５上面から所定位置まで下降し、ダイ刃先４と協働してワークＷをパンチ加工する。
【００５３】
加工後ラム３５が上昇すると、それと共にパンチ金型Ｐ全体が上昇する。
【００５４】
先ずストリッパスプリング３３の復元力により、パンチヘッド３２が前記上昇するラム３５に追従して上昇することにより、パンチボディ３１が上昇し、加工後のパンチ刃先３８がワークＷから離れ、次にリフトスプリング３４の復元力により、パンチガイド３０が上昇してその先端の板押さえ３９がワークＷから離れてそれを解放する。
【００５５】
この場合、既述したように、バネ圧調整用カラー１を回転することにより、ストリッパスプリング３３のバネ圧が調整されて最適値に設定されている。
【００５６】
そのため、加工時には、既述したように、ストリッパスプリング３３のバネ圧が強過ぎるためのワークＷの押さえ疵や、反対にバネ圧が弱過ぎるためのワークＷの反りはいずれも発生しない。
【００５７】
また、加工後も、ストリッパスプリング３３のバネ圧が弱過ぎるためのストリッパミスが発生することはない。
【００５８】
更に、バネ圧調整用カラー１を回転することにより、ストリッパスプリング３３のバネ圧を調整しても、パンチ金型Ｐ全長Ｌが不変であることから、パンチ刃先３８のワークＷに対する突っ込み量も不変であり、そのため、加工効率が低下したり、パンチ金型の寿命が短くなったり、またカス上がりが発生し易くなるなどの既述した弊害も無い。
【産業上の利用可能性】
【００５９】
上記のとおり、本発明は、パンチ金型全長を変化させることなく、ストリッパスプリングを装着したままでそのバネ圧調整を可能とすることにより、ストリッパスプリングのバネ圧調整作業を簡単且つ迅速に行うことができるパンチ金型に有用であり、具体的には、タレットパンチプレスのみならず、単体の金型で加工するパンチプレス、更には、側方に複数の金型をストックしておき、その中から必要な単体の金型を取り出して加工するシングルパンチプレスにも適用される。
【図面の簡単な説明】
【００６０】
【図１】本発明によるパンチ金型Ｐの第１実施例を示す図である。
【図２】本発明によるパンチ金型Ｐの第２実施例を示す図である。
【図３】本発明によるパンチ金型Ｐの第３実施例を示す図である。
【符号の説明】
【００６１】
１  バネ圧調整用カラー
２、３  止めネジ
４  ダイ刃先
５  ダイ本体
６  上部タレット
７  下部タレット
８  パンチヘッド締め付け用カラー
９  刃先挿通孔
３１  パンチボディ
３２  パンチヘッド
３３  ストリッパスプリング
３４  リフトスプリング
３５  ラム
３６  リテーナカラー
３７  Ｏリング
Ｄ  ダイ金型
Ｐ  パンチ金型
Ｗ  ワーク
【図１】
2005297049.tif 000003
【図２】
2005297049.tif 000004
【図３】
2005297049.tif 000005